(57)【要約】【課題】押しボタンの操作感及び操作性を向上することが可能な技術を提供する。【解決手段】電子機器は、筐体と、押圧スイッチと、押しボタンと、ケーブルとを備える。押圧スイッチは、筐体内に設けられる。押しボタンは、押圧スイッチを押圧するためのボタンである。ケーブルは、押しボタンに設けられる第１電子部品と、当該第１電子部品よりも内側に位置する、筐体内の第２電子部品とを接続する。ケーブルは、当該ケーブルにおける、第１電子部品と第２電子部品との間の一部であって、筐体に対して固定される固定部分を有する。押しボタンは、当該押しボタンが押されて移動する方向において当該固定部分と対向しない。【選択図】図４
2017098858.tif 000002
【特許請求の範囲】
【請求項１】
筐体と、
前記筐体内に設けられる押圧スイッチと、
前記押圧スイッチを押圧するための押しボタンと、
前記押しボタンに設けられる第１電子部品と、当該第１電子部品よりも内側に位置する、前記筐体内の第２電子部品とを接続するケーブルと
を備え、
前記ケーブルは、当該ケーブルにおける、前記第１電子部品と前記第２電子部品との間の一部であって、前記筐体に対して固定される固定部分を有し、
前記押しボタンは、当該押しボタンが押されて移動する方向において前記固定部分と対向しない、電子機器。
【請求項２】
請求項１に記載の電子機器であって、
前記筐体は、前記ケーブルが挿通される第１貫通孔を有し、
前記第１及び第２電子部品は、それぞれ、前記第１貫通孔よりも外側及び内側に位置し、
前記固定部分は、前記第１貫通孔において固定される、電子機器。
【請求項３】
請求項２に記載の電子機器であって、
前記第１貫通孔を塞ぐ第１部材をさらに備え、
前記ケーブルは、前記第１部材を貫通し、当該第１部材によって前記第１貫通孔に固定される、電子機器。
【請求項４】
請求項１乃至請求項３のいずれか一つに記載の電子機器であって、
前記筐体は第２貫通孔を有し、
前記押圧スイッチの被押圧面は、前記第２貫通孔と対向し、
前記電子機器は、
前記第２貫通孔の一方の開口の全周囲を取り囲む部分を有する貼付部材と、
前記押圧スイッチと前記押しボタンとの間に位置し、前記一方の開口を塞ぐように前記貼付部材によって前記筐体に貼り付けられる第２部材と
をさらに備え、
前記押しボタンは、前記第２部材を介して前記被押圧面を押圧する、電子機器。
【請求項５】
請求項４に記載の電子機器であって、
前記押しボタンと前記押圧スイッチとの間に位置し、前記第２貫通孔内に位置する中間部材をさらに備え、
前記押しボタンは、前記第２部材及び前記中間部材を介して前記被押圧面を押圧する、電子機器。
【請求項６】
請求項５に記載の電子機器であって、
前記第２部材は、前記押しボタンと前記中間部材との間に位置する、電子機器。
【請求項７】
請求項１乃至請求項６のいずれか一つに記載の電子機器であって、
前記第１電子部品は指紋センサである、電子機器。
【請求項８】
請求項１乃至請求項７のいずれか一つに記載の電子機器であって、
前記ケーブルは、フレキシブルプリント配線板である、電子機器。
【発明の詳細な説明】
【技術分野】
【０００１】
本発明は、電子機器に関する。
【背景技術】
【０００２】
特許文献１にも記載されているように、従来から電子機器に関して様々な技術が提案されている。
【先行技術文献】
【特許文献】
【０００３】
【特許文献１】特開平５−３０８１９５号公報
【発明の概要】
【発明が解決しようとする課題】
【０００４】
電子機器に設けられる押しボタンの操作感及び操作性は良いことが望まれる。
【０００５】
そこで、本発明は上述の点に鑑みて成されたものであり、押しボタンの操作感及び操作性を向上することが可能な技術を提供することを目的とする。
【課題を解決するための手段】
【０００６】
電子機器が開示される。一の実施の形態では、電子機器は、筐体と、押圧スイッチと、押しボタンと、ケーブルとを備える。押圧スイッチは、筐体内に設けられる。押しボタンは、押圧スイッチを押圧するためのボタンである。ケーブルは、押しボタンに設けられる第１電子部品と、当該第１電子部品よりも内側に位置する、筐体内の第２電子部品とを接続する。ケーブルは、当該ケーブルにおける、第１部品と第２部品との間の一部であって、筐体に対して固定される固定部分を有する。押しボタンは、当該押しボタンが押されて移動する方向において当該固定部分と対向しない。
【発明の効果】
【０００７】
押しボタンの操作感及び操作性を向上することができる。
【図面の簡単な説明】
【０００８】
【図１】電子機器の外観の一例を示す斜視図である。
【図２】電子機器の外観の一例を示す背面図である。
【図３】電子機器の外観の一例を示す右側側面図である。
【図４】電子機器の構造を拡大して示す図である。
【図５】電子機器の断面構造を拡大して示す図である。
【図６】押しボタンが押下されるときの様子を示す図である。
【図７】押しボタンが押下されるときの様子を示す図である。
【図８】押しボタンとフレキとの位置関係を示す図である。
【図９】押しボタンとフレキとの位置関係を示す図である。
【図１０】電子機器の断面構造を拡大して示す図である。
【図１１】電子機器の断面構造を拡大して示す図である。
【発明を実施するための形態】
【０００９】
＜電子機器の外観＞
図１〜３は、それぞれ、電子機器１の外観の一例を概略的に示す斜視図、背面図及び右側側面図である。電子機器１は、例えば、スマートフォン等の携帯電話機である。
【００１０】
図１〜３に示されるように、電子機器1は、当該電子機器１の前面１ａに位置するカバーパネル２と、当該カバーパネル２が取り付けられるケース３とを備えている。ケース３は、カバーパネル２が取り付けられる前面側ケース３ａと、当該前面側ケース３ａに取り付けられる背面側ケース３ｂとを備えている。背面側ケース３ｂは、前面側ケース３ａに対して、電子機器１の背面１ｂ側から取り付けられる。カバーパネル２及びケース３は、電子機器１の外装を成しており、当該電子機器１の筐体４を構成している。
【００１１】
電子機器１の形状は、平面視において略長方形の板状となっている。以後、電子機器１の長手方向、短手方向及び厚さ方向を、それぞれ、長手方向ＤＲ１、短手方向ＤＲ２及び厚さ方向ＤＲ３と呼ぶ。また、「左側」と言えば、電子機器１を前面１ａ側から見た際の左側を意味し、「右側」と言えば、電子機器１を前面１ａ側から見た際の右側を意味する。
【００１２】
ケース３は、例えば、樹脂で、あるいは樹脂及び金属で形成されている。当該樹脂としては、例えば、ポリカーボネート樹脂、ＡＢＳ樹脂あるいはナイロン系樹脂などが採用される。また、当該金属としては、例えばアルミニウムなどが採用される。なお、ケース３は、前面側ケース３ａ及び背面側ケース３ｂのように複数の部材が組み合わされて構成されても良いし、一つの部材によって構成されても良い。
【００１３】
カバーパネル２は、板状であって、平面視において略長方形を成している。カバーパネル２の長手方向は、電子機器１の長手方向ＤＲ１と一致している。カバーパネル２は、例えば、アクリル樹脂、ガラスまたはサファイアなどで形成されている。カバーパネル２は、貼付部材２１０によって前面側ケース３ａに貼り付けられている（図５参照）。
【００１４】
カバーパネル２には、後述する表示パネル１２０が表示する、文字、記号、図形等の各種情報が表示される表示領域２ａが設けられている。カバーパネル２における、表示領域２ａを取り囲む周縁部２ｂの大部分は、例えばフィルム等が貼られることによって黒色となっている。これにより、カバーパネル２の周縁部２ｂの大部分は、表示パネル１２０が表示する各種情報が表示されない非表示領域となっている。
【００１５】
表示領域２ａの裏側には、タッチパネル１３０が取り付けられている（図５参照）。タッチパネル１３０は、例えば、投影型静電容量方式のタッチパネルである。ユーザが表示領域２ａを指等の操作子で操作すると、その操作がタッチパネル１３０で検出される。これにより、ユーザは、電子機器１に対して各種指示を与えることができる。
【００１６】
タッチパネル１３０における、カバーパネル２とは反対側の主面には、表示パネル１２０が取り付けられている（図５参照）。表示パネル１２０は、例えば、液晶ディスプレイあるいは有機ＥＬディスプレイである。
【００１７】
なお、表示パネル１２０とタッチパネル１３０との位置関係は、上記の例に限られない。表示領域２ａに対する操作子による操作を検出することができれば、例えば、表示パネル１２０にタッチパネル１３０の構成の少なくとも一部が埋め込まれたような構成であっても良い。
【００１８】
図１に示されるように、カバーパネル２の上側端部には、レシーバ穴１６が設けられている。また、カバーパネル２の上側端部からは、後述する前面側撮像部が有する撮像レンズ１８が視認可能となっている。そして、カバーパネル２の下側端部には、マイク穴１５が設けられている。
【００１９】
図２に示されるように、電子機器１の背面１ｂ、つまりケース３の背面の上側端部からは、後述する背面側撮像部が有する撮像レンズ１９が視認可能となっている。また、ケース３の背面にはスピーカ穴１７が設けられている。
【００２０】
筐体４内には、電子機器１が備える、マイク、レシーバ、外部スピーカ、前面側撮像部及び背面側撮像部などが設けられている（図示せず）。
【００２１】
マイクは、電子機器１の外部から入力される音を電気的な音信号に変換することが可能である。電子機器１の外部からの音は、マイク穴１５から電子機器１の内部に取り込まれてマイクに入力される。
【００２２】
外部スピーカは、例えばダイナミックスピーカである。外部スピーカは、電気的な音信号を音に変換して出力することが可能である。外部スピーカから出力される音は、スピーカ穴１７から電子機器１の外部に出力される。
【００２３】
レシーバは、例えばダイナミックスピーカで構成されている。レシーバは、例えば電子機器１が受信した電気的な音信号を音に変換して出力することが可能である。例えば、レシーバは受話音を出力することが可能である。レシーバから出力される音は、レシーバ穴１６から電子機器１の外部に出力される。
【００２４】
なお、レシーバに代えて圧電振動素子が設けられても良い。圧電振動素子は、音声信号に基づいて振動することが可能である。圧電振動素子は、例えばカバーパネル２の裏面に設けられており、音声信号に基づく自身の振動によってカバーパネル２を振動させることが可能である。そして、ユーザが自身の耳をカバーパネル２に近づけることにより、カバーパネル２の振動が音声としてユーザに伝達される。レシーバに代えて圧電振動素子が設けられる場合には、レシーバ穴１６は不要である。
【００２５】
前面側撮像部は、撮像レンズ１８及び撮像素子などで構成されている。撮像レンズ１８は、電子機器１の前面１ａの上側端部から視認可能となっている。したがって、前面側撮像部は、電子機器１の前面１ａ側に存在する物体を撮像することが可能である。
【００２６】
背面側撮像部は、撮像レンズ１９及び撮像素子などで構成されている。撮像レンズ１９は、電子機器１の背面１ｂの上側端部から視認可能となっている。したがって、背面側撮像部は、電子機器１の背面１ｂ側に存在する物体を撮像することが可能である。
【００２７】
図１〜３に示されるように、電子機器１の右側側面１ｃ、つまりケース３の右側側面には、押しボタン５０が設けられている。押しボタン５０は、例えば、ケース３の右側側面から外側に突出している。
【００２８】
押しボタン５０は、後述する押圧スイッチ６０を押圧するためのボタンである。ユーザは、押しボタン５０を押下することによって、押圧スイッチ６０をオン状態にすることができる。押しボタン５０には機能が割り当てられている。電子機器１は、押しボタン５０が押下されて押圧スイッチ６０がオン状態になると、押しボタン５０に割り当てられている機能を実行する。以後、押しボタン５０が押されると言えば、当該押しボタン５０に押圧された押圧スイッチ６０がオン状態になることを意味する。
【００２９】
押しボタン５０は、例えば電源ボタンである。電源ボタンは、「電源キー」とも呼ばれる。電源ボタンは、電子機器１において、一部の機能を停止したり、停止している状態を復帰（起動）したりするためのボタンである。ユーザは、押しボタン５０を操作することによって、電子機器１における、一部の機能を停止させたり、停止している機能を復帰させたりすることができる。
【００３０】
なお、電子機器１は、複数の押しボタンを備えていても良い。また、押しボタン５０には、電源ボタンとは異なる機能が割り当てられていても良い。また、筐体４における押しボタン５０が設けられる位置は上記の例に限られない。例えば、押しボタン５０は、ケース３における右側側面以外の部分に設けられていても良いし、カバーパネル２に設けられても良い。
【００３１】
図１，３に示されるように、押しボタン５０には指紋センサ７０が設けられている。指紋センサ７０における、指紋を検出するための指紋検出領域７０ａは、押しボタン５０の表面から露出している。押しボタン５０における、ユーザが押下する際に触れる被押下領域５０ａは、指紋検出領域７０ａを含んでいる。
【００３２】
指紋センサ７０は、指紋検出領域７０ａを触るユーザの指の指紋を検出することが可能である。ユーザは、指で被押下領域５０ａを押すことによって、押しボタン５０を押下することができるし、指紋センサ７０に当該指の指紋を検出させることもできる。指紋センサ７０は、指紋の検出結果として、例えば、検出した指紋を示す指紋画像を出力することが可能である。指紋センサ７０での指紋検出方式は、例えば静電容量方式である。なお、指紋センサ７０での指紋検出方式は、静電容量方式以外の方式、例えば光学式であっても良い。
【００３３】
電子機器１は、指紋センサ７０での指紋の検出結果に基づいて、ユーザ認証を行うことが可能である。具体的には、電子機器１は、あらかじめ電子機器１に登録された指紋と、指紋センサ７０によって検出された指紋とを照合することによって、当該検出された指紋を有するユーザが正規のユーザ（例えば電子機器１の所有者）であるか否かを判定することができる。
【００３４】
＜押しボタン周辺の構造＞
図４は、押しボタン５０周辺の構造を拡大して示す図である。図４では、背面側ケース３ｂの図示を省略している。また、図４は、前面側ケース３ａを電子機器１の背面１ｂ側から見た際の図である。
【００３５】
前面側ケース３ａの右側側面には、押しボタン５０が設けられている。また、前面側ケース３ａ内には、押しボタン５０によって押圧される押圧スイッチ６０が設けられている。押圧スイッチ６０は、フレキシブルプリント配線板１６０（以後、フレキ１６０と呼ぶ）の一端に実装されており、当該一端が前面側ケース３ａに取り付けられている。フレキ１６０の他端は、筐体４内に設けられたコネクタ（図示せず）に接続される。これにより、電子機器１の動作を統括的に制御する制御部と押圧スイッチ６０とが電気的に接続される。当該コネクタは、基板に実装されており、当該基板は、筐体４内に取り付けられている。
【００３６】
前面側ケース３ａにおける、押しボタン５０と押圧スイッチ６０との間には、貫通孔３１が設けられている。貫通孔３１内には、中間部材８０が設けられている。貫通孔３１における押しボタン５０側の開口３１ｂは防水部材１００によって覆われている。ユーザは、ケース３の表面に露出する押しボタン５０を押下することによって、防水部材１００及び中間部材８０を介して、ケース３内に設けられた押圧スイッチ６０を押圧することができる。
【００３７】
押しボタン５０には指紋センサ７０が設けられている。指紋センサ７０は、フレキシブルプリント配線板１７０（以後、フレキ１７０と呼ぶ）の一端に実装されており、当該一端が押しボタン５０に取り付けられている。フレキ１７０の他端は、後述するコネクタ２７０に接続される。これにより、制御部と指紋センサ７０とが電気的に接続される。コネクタ２７０は、後述する基板３７０に実装されており、当該基板３７０は、筐体４内に取り付けられている。
【００３８】
フレキ１７０は、前面側ケース３ａに設けられた貫通孔３２に挿通されている。これにより、ケース３内のコネクタ２７０と、ケース３の表面に露出する指紋センサ７０とをフレキ１７０によって接続できる。フレキ１７０は、貫通孔３２を塞ぐ防水部材３００によって、貫通孔３２に固定されている。
【００３９】
押しボタン５０の構造と、フレキ１７０の貫通孔３２への取付構造とについては、後で詳細に説明する。
【００４０】
＜押しボタンの構造＞
以下では、押しボタン５０の構造について詳細に説明する。図５は、図４における矢視Ａ−Ａにおける断面構造を拡大して示す図である。
【００４１】
図４，５に示されるように、前面側ケース３ａは、押圧スイッチ６０が取り付けられる板状の取付部３１０を有している。取付部３１０は、長手方向ＤＲ１及び厚さ方向ＤＲ３に平行に配置されている。また前面側ケース３ａは、取付部３１０と対向する板状の対向部３１１を有している。対向部３１１は、取付部３１０と対向する主面３１１ａと、それとは反対側の主面３１１ｂとを有している。
【００４２】
対向部３１１には、短手方向ＤＲ２に沿って貫通する貫通孔３１が設けられる。貫通孔３１は、前面側ケース３ａの右側側面に近い部分に設けられている。押圧スイッチ６０は、その被押圧面６０ａが、貫通孔３１の両側の開口３１ａ，３１ｂのうち、対向部３１１の主面３１１ａに設けられた開口３１ａに対向するように、取付部３１０に取り付けられる。具体的には、フレキ１６０における、押圧スイッチ６０が実装された部分が、貼付部材１６１によって取付部３１０に取り付けられている。押しボタン５０は、貫通孔３１の開口３１ａ，３１ｂのうち、対向部３１１の主面３１１ｂに設けられた開口３１ｂに対向するように設けられる。
【００４３】
対向部３１１の主面３１１ｂには、貫通孔３１の開口３１ｂを覆うように、防水部材１００が貼付部材１０１によって貼り付けられている。防水部材１００は、例えば、シート状であって、柔軟性を有する。防水部材１００としては、例えば、ＴＰＵ（Thermoplastic Polyurethane）などの、防水性及び柔軟性を有した部材が採用される。ＴＰＵは、伸縮性及び弾力性も有する。貼付部材１０１は、貫通孔３１の開口３１ｂの全周囲を取り囲むように存在している。貼付部材１０１は、例えば防水性を有する両面テープである。
【００４４】
このように、シート状の防水部材１００を、防水性を有する貼付部材１０１によって、貫通孔３１の開口３１ｂを覆うように貼り付けるという簡単な構成によって、当該貫通孔３１からケース３内に水が入りにくくすることができる。
【００４５】
なお、貼付部材１０１は、開口３１ｂの全周囲を取り囲むように対向部３１１の主面３１１ｂ上に存在するのではなく、防水部材１００の開口３１ｂ側の面の全領域に貼り付けられていてもよい。つまり、開口３１ｂは貼付部材１０１で覆われていてもよい。この場合であっても、防水部材１００が開口３１ｂを覆うように当該防水部材１００を対向部３１１の主面３１１ｂに貼り付けることができる。つまり、貼付部材１０１は、開口３１ｂの全周囲を取り囲む部分を有していれば良い。
【００４６】
なお、貫通孔３１の防水対策が不要な場合には、防水部材１００及び貼付部材１０１の代りに、防水性を有さない部材を用いてもよい。この場合であっても、貫通孔３１からケース３内に塵あるいは埃が入りにくくすることができる。さらに、貫通孔３１の防塵対策が不要な場合には、貼付部材１０１は、貫通孔３１の開口３１ｂの全周囲を取り囲むように存在しているのではなく、一部に存在していてもよい。また、貫通孔３１の防塵対策が不要な場合には、貫通孔３１を塞がなくても良い。
【００４７】
貫通孔３１内には、中間部材８０が設けられている。中間部材８０は、防水部材１００と押圧スイッチ６０との間に設けられ、貫通孔３１内で短手方向ＤＲ２に沿って移動可能となっている。これにより、押しボタン５０は、中間部材８０を介して押圧スイッチ６０を押圧することができる。具体的には、押しボタン５０は、その外側から短手方向ＤＲ２に沿って押されて移動することによって、防水部材１００を介して中間部材８０を押圧スイッチ６０側に移動させる。中間部材８０が押圧スイッチ６０側に移動すると、当該中間部材８０は、押圧スイッチ６０の被押圧面６０ａを押圧する。押圧スイッチ６０が押圧される際には、防水部材１００が押しボタン５０によって押し延ばされる。中間部材８０は、例えば、ＰＯＭ（polyoxymethylene）などの樹脂から成る。
【００４８】
このように、押しボタン５０は、防水部材１００及び中間部材８０を介して押圧スイッチ６０の被押圧面６０ａを押圧する。よって、中間部材８０の押圧方向での長さを大きくすれば、押しボタン５０と押圧スイッチ６０との距離が離れていても、押しボタン５０を押すことによって押圧スイッチ６０を押圧することができる。
【００４９】
図４，５に示されるように、押しボタン５０が押されていない状態では、押しボタン５０と防水部材１００とは接触している。また、押しボタン５０が押されていない状態では、中間部材８０は、防水部材１００及び押圧スイッチ６０に接している。このため、押しボタン５０によって押圧スイッチ６０が押圧される際の、防水部材１００の変形量は小さくなる。これにより、当該変形による防水部材１００の劣化を抑制することができる。また、当該変形によって、防水部材１００が前面側ケース３ａから剥がれることを抑制することができる。
【００５０】
図５に示されるように、押しボタン５０は、ボタン本体５１と、当該ボタン本体５１に対して取り付けられるカバー部材５２とを備えている。ボタン本体５１は、例えば、樹脂によって形成されている。カバー部材５２は、例えば、金属によって形成されている。
【００５１】
ボタン本体５１は、主要部５１ａと、当該主要部５１ａからそれぞれ突出する突出部５１ｂ及び押圧部５１ｃを有している。主要部５１ａは、概ね長手方向ＤＲ１に沿って細長い四角柱状を成している。押圧部５１ｃは略円柱状であって、主要部５１ａでの、押しボタン５０の貫通孔３１側の主面５１ａａから、当該貫通孔３１側に突出している。押圧部５１ｃは貫通孔３１と対向している。押圧部５１ｃの先端面５１ｃａの大きさは、貫通孔３１の径よりも小さくなっている。突出部５１ｂは、主要部５１ａにおける、押しボタン５０の押下方向と垂直な側面５１ａｃから、外側に突出している。
【００５２】
ボタン本体５１の主要部５１ａにおける主面５１ａａとは反対側の主面５１ａｂには、指紋センサ７０が取り付けられている。具体的には、指紋センサ７０が実装されたフレキ１７０が、貼付部材１７１によってボタン本体５１の主面５１ａｂに取り付けられている。指紋センサ７０は、例えば、長手方向ＤＲ１に沿って長い板状の形状を成している。指紋センサ７０は、その長手方向がボタン本体５１の長手方向と一致するように、当該ボタン本体５１に取り付けられる。
【００５３】
カバー部材５２は、その開口５２ａから指紋センサ７０の指紋検出領域７０ａが露出するように、ボタン本体５１に対して取り付けられる。カバー部材５２は、例えば、フレキ１７０に貼り付けられる。カバー部材５２の一部は、ケース３の表面から露出している。
【００５４】
押しボタン５０における、指紋センサ７０の指紋検出領域７０ａ含む被押下領域５０ａが押されることによって、当該押しボタン５０が押下される。したがって、指紋センサ７０は、押しボタン５０の一部を構成しているともいえる。
【００５５】
押しボタン５０の被押下領域５０ａは、厚さ方向ＤＲ３に対して傾斜している。具体的には、被押下領域５０ａにおける電子機器１の背面１ｂ側の端部が電子機器１の内側に向かって傾斜している。これにより、ユーザが電子機器１を背面１ｂ側から手に持った際に、当該手の指で押しボタン５０が押しやすくなっている。
【００５６】
なお、指紋センサ７０と押しボタン５０との位置関係は、上記の例に限られない。押しボタン５０の被押圧面７０ａを触るユーザの指の指紋を検出できる構成であれば、例えば、指紋センサ７０は押しボタン５０の表面に設けられているのではなく、ボタン５０の内部に設けられていても良いし、ボタン５０の裏側に設けられていても良い。つまり、指紋センサ７０の指紋検出領域７０ａは、押しボタン５０の表面に露出しているのではなく、押しボタン５０を構成する部材によって覆われていても良い。
【００５７】
前面側ケース３ａは、押しボタン５０を前面側ケース３ａに取り付けるための取付部３１３を有する。押しボタン５０は、取付部３１３と嵌合して、前面側ケース３ａに取り付けられる。
【００５８】
前面側ケース３ａに背面側ケース３ｂが取り付けられると、押しボタン５０の突出部５１ｂは、短手方向ＤＲ２において前面側ケース３ａと背面側ケース３ｂとによって挟まれる。これにより、押しボタン５０は、ケース３から外れにくくなっている。
【００５９】
＜フレキの取付構造＞
上述のように、フレキ１７０は押しボタン５０に取り付けられており、コネクタ２７０が実装された基板３７０が筐体４内に取り付けられている。よって、押しボタン５０が押下されて短手方向ＤＲ２に沿って移動すると、フレキ１７０における押しボタン５０とコネクタ２７０との間の一部が変形する。例えば、押しボタン５０が押下されると、フレキ１７０における、押しボタン５０とコネクタ２７０との間の一部が短手方向ＤＲ２に沿って撓む。これにより、フレキ１７０とコネクタ２７０との接続部分に負荷がかかる場合がある。
【００６０】
図６，７は押しボタン５０が押下されるときの様子を示す図である。図６，７は、押しボタン５０をその側面側から見た際の図である。図６，７では、説明する際に不要な部品の図示を省略している。図６では、フレキ１７０が前面側ケース３ａに対して固定されていない場合を示している。図６に示されるように、フレキ１７０の両端のうち、押しボタン５０側とは反対側の端部は、筐体４内に設けられる基板３７０に実装されたコネクタ２７０に接続される。基板３７０は、筐体４内に取り付けられている。
【００６１】
図６に示されるように、フレキ１７０が前面側ケース３ａに対して固定されていない場合には、押しボタン５０が押下されて短手方向ＤＲ２に沿って移動すると、フレキ１７０は、例えば、短手方向ＤＲ２に沿って撓むように変形する。フレキ１７０は、例えば、電子機器１の背面１ｂ側に凸となる湾曲部１７２を有している。フレキ１７０の湾曲部１７２は、押しボタン５０が押下された際に撓みやすくなっている。押しボタン５０が押下されて、フレキ１７０が変形したときには、フレキ１７０とコネクタ２７０との接続部に負荷がかかりやすくなっている。例えば、フレキ１７０の反力が当該接続部にかかりやすくなっている。このため、当該接続部における電気的接点が摩耗するなどして、接続不良が起こる可能性がある。
【００６２】
一方、電子機器１では、図４，７に示されるように、フレキ１７０は、防水部材２００によって、前面側ケース３ａに対して固定されている。これにより、フレキ１７０とコネクタ２７０との接続部に負荷がかかりにくくなっている。以下では、フレキ１７０が前面側ケース３ａに対して取り付けられる構造について、詳細に説明する。
【００６３】
図４，７に示されるように、前面側ケース３ａは、フレキ１７０が固定される板状の取付部３１２を有している。取付部３１２は、長手方向ＤＲ１及び厚さ方向ＤＲ３に平行に配置されている。取付部３１２は、コネクタ２７０側の主面３１２ａと、それとは反対側の主面３１２ｂとを有している。
【００６４】
取付部３１２には、短手方向ＤＲ２に沿って貫通する貫通孔３２が設けられる。貫通孔３２は、前面側ケース３ａの右側側面に近い部分に設けられている。貫通孔３２は、例えば、長手方向ＤＲ１に沿って貫通孔３１と並んでいる。
【００６５】
貫通孔３２には、フレキ１７０が挿通される。フレキ１７０は、押しボタン５０とコネクタ２７０との間に、防水部材２００が取り付けられる取付部分１７１を有する。防水部材２００は、例えば、樹脂によって形成されており、フレキ１７０と一体形成されている。
【００６６】
防水部材２００は、板状部２００ａと、当該板状部２００ａから突出する突出部２００ｂとを有している。突出部２００ｂは略円柱状であって、その外径は、貫通孔３２の径よりも小さくなっている。突出部２００ｂは、貫通孔３２における開口３２ａ，３２ｂのうち、主面３１２ｂの開口３２ｂ側から当該貫通孔３２に挿入される。板状部２００ａは、開口３２ｂを覆うように、主面３１２ｂに取り付けられる。具体的には、板状部２００ａは、貫通孔３２の開口３２ｂの全周囲を取り囲むように存在する、防水性を有する貼付部材２０１によって、前面側ケース３ａに取り付けられる。貫通孔３２の開口３２ｂは、防水部材２００によって塞がれている。
【００６７】
電子機器１では、図７に示されるように、フレキ１７０の取付部分１７１に取り付けられた防水部材２００が貫通孔３２に固定されることによって、当該取付部分１７１が前面側ケース３ａに対して固定されている。以後、取付部分１７１を「固定部分１７１」と呼ぶことがある。
【００６８】
フレキ１７０が前面側ケース３ａに対して固定されている場合には、押しボタン５０が押下されて短手方向ＤＲ２に沿って移動した際に、フレキ１７０における、押しボタン５０と防水部材２００との間の部分は変形するが、防水部材２００とコネクタ２７０との間の部分は変形しない。よって、フレキ１７０とコネクタ２７０との接続部に負荷がかかりにくくなる。したがって、当該接続部における接続不良を抑制することができる。
【００６９】
また、前面側ケース３ａにおける、貫通孔３２とは別の部分にフレキ１７０を固定するのではなく、フレキ１７０が挿通される貫通孔３２にフレキ１７０を固定するという簡単な構成によって、フレキ１７０を前面側ケース３ａに対して固定することができる。
【００７０】
また、貫通孔３２が防水部材２００によって塞がれることから、貫通孔３２からケース３内に水が入りにくくなる。
【００７１】
また、フレキ１７０は、防水部材２００によって貫通孔３２に固定されることから、当該防水部材２００によって、貫通孔３２の防水対策と、フレキ１７０の前面側ケース３ａに対する固定との両方を行うことができる。
【００７２】
なお、貫通孔３２の防水対策が不要な場合には、防水部材２００及び貼付部材２０１の代りに、防水性を有さない部材を用いてもよい。この場合であっても、貫通孔３２からケース３内に塵あるいは埃が入りにくくすることができる。さらに、貫通孔３２の防塵対策が不要な場合には、貼付部材２０１は、貫通孔３２の開口３２ｂの全周囲を取り囲むように存在しているのではなく、一部に存在していてもよい。また、貫通孔３２の防塵対策が不要な場合には、貫通孔３２を塞がなくても良い。
【００７３】
なお、フレキ１７０の固定部分１７１は、筐体４に対して固定されていれば良く、前面側ケース３ａにおける貫通孔３２とは別の部分において固定されていても良いし、背面側ケース３ｂにおいて固定されていても良い。これらの場合であっても、フレキ１７０とコネクタ２７０との接続部に負荷がかかりにくくなる。また、フレキ１７０は、防水部材２００以外の部材、例えば、貼付部材などによって筐体４に固定されても良い。また、フレキ１７０は、筐体４に直接固定されても良い。例えば、フレキ１７０は、前面側ケース３ａと背面側ケース３ｂとに挟まれることによって、筐体４に直接固定されても良い。
【００７４】
＜押しボタンとフレキとの位置関係＞
押しボタン５０が押された際には、例えば、フレキ１７０の湾曲部１７２が撓むことによって、当該押しボタン５０が短手方向ＤＲ２沿って移動可能となっている。押しボタン５０が押されたときには、フレキ１７０では、元の形状に戻ろうとする反力が生じる。
【００７５】
上述のように、電子機器１では、フレキ１７０は、防水部材２００によって貫通孔３２に固定されている。よって、フレキ１７０が前面側ケース３ａに固定されていない場合と比較して、フレキ１７０による反力がかかる箇所が押しボタン５０側に近くなる。よって、フレキ１７０の反力が押しボタン５０にかかりやすくなる。以下では、押しボタン５０にかかるフレキ１７０による反力について詳しく説明する。
【００７６】
図８，９は押しボタン５０とフレキ１７０との位置関係を示す図である。図８，９は、押しボタン５０を、電子機器１の背面１ｂ側から見た際の図である。図８，９では、説明する際に不要な部品の図示を省略している。図８，９では、フレキ１７０の固定部分１７１を細い斜線領域で示している。
【００７７】
図８では、押しボタン５０が、当該押しボタン５０が押されて移動する方向、つまり短手方向ＤＲ２において、フレキ１７０の固定部分１７１と対向する場合を示している。図８に示されるように、押しボタン５０が、短手方向ＤＲ２において、フレキ１７０の固定部分１７１と対向する場合には、フレキ１７０による反力が押しボタン５０にかかりやすくなっている。例えば、フレキ１７０の反力は、押しボタン５０における、固定部分１７１と対向する部分にかかりやすくなっている。
【００７８】
フレキ１７０の反力が押しボタン５０にかかりやすい場合には、ユーザが押しボタン５０を押したときの操作感（押し感）が悪い場合がある。また、ユーザが押しボタン５０を押しにくいなど、押しボタン５０の操作性が悪くなる場合がある。例えば、ユーザが押しボタン５０における、固定部分１７１と対向する側の端部とは反対側の端部を押した際に、押圧スイッチ６０を押圧できない場合がある。
【００７９】
一方、電子機器１では、図９に示されるように、押しボタン５０は、短手方向ＤＲ２において、フレキ１７０の固定部分１７１と対向しない。これにより、押しボタン５０が短手方向ＤＲ２においてフレキ１７０の固定部分１７１と対向する場合と比較して、フレキ１７０による反力が押しボタン５０にかかりにくくなる。よって、押しボタン５０の操作感及び操作性を向上することができる。この場合、フレキ１７０の反力は、例えば、前面側ケース３ａにかかりやすくなっている（図４参照）。
【００８０】
＜各種変形例＞
＜第１変形例＞
上記の例では、貫通孔３２を塞ぐ防水部材２００が、貫通孔３２の開口３２ｂの全周囲を取り囲むように存在する貼付部材２０１によって取り付けられていたが、貫通孔３２の防水対策はこの例に限られない。貫通孔３２の防水対策は、例えば、図１０に示される防水部材４００によって行われてもよい。
【００８１】
防水部材４００は、フレキ１７０に取り付けられる。防水部材４００は、例えば、フレキ１７０と一体成形されている。防水部材４００は、本体部４１０と、当該本体部４１０の側面４１０ａの周方向に沿って全周囲に取り付けられるリング状の部材４１１とを有する。本体部４１０の側面４１０ａには、その周方向に沿った全周囲に溝部４１０ｂが設けられており、部材４１１は当該溝部４１０ｂに嵌合している。防水部材４００は、部材４１１が貫通孔３１の内壁３１ｃと当接するように、貫通孔３１に挿入される。部材４１１は、貫通孔３１内の内壁３１ｃと、貫通孔３１の周方向の全領域で当接している。本体部４１０は、部材４１１の弾性力によって、貫通孔３１に固定される。これにより、貫通孔３１の防水対策と、フレキ１７０の貫通孔３１への固定とが可能となる。
【００８２】
また、防水部材４００は、本体部４１０の一端に設けられた突出部４１２が前面側ケース３ａの取付部３１２と対向するように貫通孔３１に挿入される。これにより、防水部材４００全体が貫通孔３１内に入ることを抑制することができる。
【００８３】
＜第２変形例＞
また、上記の例では、シート状の防水部材１００が、貫通孔３１の開口３１ｂを覆うように、当該開口３１ｂの全周囲を取り囲む貼付部材１０１によって取り付けられていたが、貫通孔３１の防水対策はこの例に限られない。例えば、貫通孔３１の防水対策は、図１１に示される防水部材５００によって行われてもよい。
【００８４】
防水部材５００は、樹脂等で形成されている。防水部材５００は、弾力性を有するものの、上述の防水部材１００よりも硬くなっている。防水部材５００は、成形品であって、立体的形状を有している。
【００８５】
防水部材５００は、一方端が閉じた筒状の本体部５１０と、当該本体部５１０の開口５１２側の他方端に設けられたフランジ部５２０とを有する。フランジ部５２０は、本体部５１０の開口５１２の全周囲を取り囲んでいる。
【００８６】
本体部５１０は、その底面５１１が押圧スイッチ６０と対向し、その開口５１２が押しボタン５０と対向するように、貫通孔３１内に挿入される。フランジ部５２０は、前面側ケース３ａの対向部３１１の主面３１１ｂ上に配置される。フランジ部５２０は、貫通孔３１の開口３１ｂの全周囲を取り囲んでいる。これにより、貫通孔３１の開口３１ｂは、防水部材５００によって塞がれている。
【００８７】
貫通孔３１内の本体部５１０の側面５１３は、貫通孔３１内の内壁３１ｃと当接している。本体部５１０の側面５１３は、貫通孔３１内の内壁３１ｃと、貫通孔３１の周方向の全領域で当接している。これにより、貫通孔３１は、本体部５１０によって塞がれている。防水部材５００の本体部５１０内には、開口５１２側から押しボタン５０の押圧部５１ｃが挿入される。
【００８８】
このような構造を有する電子機器１では、押しボタン５０が防水部材５００の本体部５１０を介して押圧スイッチ６０を押圧する。このとき、本体部５１０の底面５１１が押圧スイッチ６０の被押圧面６０ａを押圧する。
【００８９】
このように、防水部材５００の本体部５１０が、貫通孔３１を塞いでいるため、貫通孔３１から押圧スイッチ６０側に水が入ることを抑制することができる。
【００９０】
電子機器１を組み立てる際には、押しボタン５０と、フレキ１７０に取り付けられた防水部材を前面側ケース３ａに取り付けてから、背面側ケース３ｂの取り付けが行われる。押しボタン５０は、突出部５１ｂが前面側ケース３ａと背面側ケース３ｂとに挟まれることによってケース３に保持されるため、背面側ケース３ｂを取り付ける前の状態では、前面側ケース３ａに固定しにくくなっている。よって、フレキ１７０に取り付けられた防水部材を前面側ケース３ａに取り付けた状態では、フレキ１７０の反力によって、押しボタン５０の位置がずれてしまう場合がある。
【００９１】
押しボタン５０が、図１１で示されるように、押圧部５１ｃが防水部材５００の本体部５１０に挿入される構造を有する場合には、押しボタン５０を取り付ける際に、押しボタン５０の位置が比較的ずれにくくなっている。
【００９２】
電子機器１では、押しボタン５０は、当該押しボタン５０が押されて移動する方向において、フレキ１７０の固定部分１７１と対向しない。これにより、押しボタン５０にフレキ１７０の反力がかかりにくいため、押しボタン５０を前面側ケース３ａに取り付けた際に、当該押しボタン５０の位置がずれにくくなっている。よって、押しボタン５０を前面側ケース３ａに取り付け易くなる。
【００９３】
上記の各例では、本開示の技術をスマートフォン等の携帯電話機に適用する場合を例にあげて説明したが、本開示の技術は、フレキシブルプリント配線板が取り付けられた押しボタンを備える他の電子機器にも適用することができる。例えば、本開示の技術は、パーソナルコンピュータ、タブレット端末あるいは腕などに装着するウェアラブルタイプの電子機器等にも適用することができる。
【００９４】
以上のように、電子機器１は詳細に説明されたが、上記した説明は、全ての局面において例示であって、本開示がそれに限定されるものではない。また、上述した各種変形例は、相互に矛盾しない限り組み合わせて適用可能である。そして、例示されていない無数の変形例が、本開示の範囲から外れることなく想定され得るものと解される。
【符号の説明】
【００９５】
１  電子機器
３ａ  前面側ケース
４  筐体
３１，３２  貫通孔
５０  押しボタン
６０  押圧スイッチ
７０  指紋センサ
８０  中間部材
１００，２００  防水部材
１６０，１７０  フレキシブルプリント配線板
１７１  固定部分
２７０  コネクタ
【図１】
2017098858.tif 000003
【図２】
2017098858.tif 000004
【図３】
2017098858.tif 000005
【図４】
2017098858.tif 000006
【図５】
2017098858.tif 000007
【図６】
2017098858.tif 000008
【図７】
2017098858.tif 000009
【図８】
2017098858.tif 000010
【図９】
2017098858.tif 000011
【図１０】
2017098858.tif 000012
【図１１】
2017098858.tif 000013
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
筐体と、
前記筐体内に設けられる押圧スイッチと、
前記押圧スイッチを押圧するための押しボタンと、
前記押しボタンに設けられる第１電子部品と、当該第１電子部品よりも内側に位置する、前記筐体内の第２電子部品とを接続するケーブルと
を備え、
前記ケーブルは、当該ケーブルにおける、前記第１電子部品と前記第２電子部品との間の一部であって、前記筐体に対して固定される固定部分を有し、
前記押しボタンは、当該押しボタンが押されて移動する方向において前記固定部分と対向せず、
前記筐体は第２貫通孔を有し、
前記押圧スイッチの被押圧面は、前記第２貫通孔と対向し、
前記電子機器は、
前記第２貫通孔の一方の開口の全周囲を取り囲む部分を有する貼付部材と、
前記押圧スイッチと前記押しボタンとの間に位置し、前記一方の開口を塞ぐように前記貼付部材によって前記筐体に貼り付けられる第２部材と
をさらに備え、
前記押しボタンは、前記第２部材を介して前記被押圧面を押圧する、電子機器。
【請求項２】
請求項１に記載の電子機器であって、
前記筐体は、前記ケーブルが挿通される第１貫通孔を有し、
前記第１及び第２電子部品は、それぞれ、前記第１貫通孔よりも外側及び内側に位置し、
前記固定部分は、前記第１貫通孔において固定される、電子機器。
【請求項３】
請求項２に記載の電子機器であって、
前記第１貫通孔を塞ぐ第１部材をさらに備え、
前記ケーブルは、前記第１部材を貫通し、当該第１部材によって前記第１貫通孔に固定される、電子機器。
【請求項４】
請求項１乃至請求項３のいずれか一つに記載の電子機器であって、
前記押しボタンと前記押圧スイッチとの間に位置し、前記第２貫通孔内に位置する中間部材をさらに備え、
前記押しボタンは、前記第２部材及び前記中間部材を介して前記被押圧面を押圧する、電子機器。
【請求項５】
請求項４に記載の電子機器であって、
前記第２部材は、前記押しボタンと前記中間部材との間に位置する、電子機器。
【請求項６】
請求項１乃至請求項５のいずれか一つに記載の電子機器であって、
前記第１電子部品は指紋センサである、電子機器。
【請求項７】
請求項１乃至請求項６のいずれか一つに記載の電子機器であって、
前記ケーブルは、フレキシブルプリント配線板である、電子機器。
【手続補正２】
【補正対象書類名】明細書
【補正対象項目名】０００６
【補正方法】変更
【補正の内容】
【０００６】
電子機器が開示される。一の実施の形態では、電子機器は、筐体と、押圧スイッチと、押しボタンと、ケーブルとを備える。押圧スイッチは、筐体内に設けられる。押しボタンは、押圧スイッチを押圧するためのボタンである。ケーブルは、押しボタンに設けられる第１電子部品と、当該第１電子部品よりも内側に位置する、筐体内の第２電子部品とを接続する。ケーブルは、当該ケーブルにおける、第１部品と第２部品との間の一部であって、筐体に対して固定される固定部分を有する。押しボタンは、当該押しボタンが押されて移動する方向において当該固定部分と対向せず、前記筐体は第２貫通孔を有し、前記押圧スイッチの被押圧面は、前記第２貫通孔と対向し、前記電子機器は、前記第２貫通孔の一方の開口の全周囲を取り囲む部分を有する貼付部材と、前記押圧スイッチと前記押しボタンとの間に位置し、前記一方の開口を塞ぐように前記貼付部材によって前記筐体に貼り付けられる第２部材とをさらに備え、前記押しボタンは、前記第２部材を介して前記被押圧面を押圧する。